(57)【要約】【課題】付加情報の表示による投射画像の視認性低下を抑制する表示システムを提供する。【解決手段】プロジェクター装置１０と、プロジェクター装置１０と通信可能な端末装置８０とを備える表示システム１００は、プロジェクター装置１０が、画像データに基づいて画像を表示する投射部２００と、画像データを端末装置８０に送信し、端末装置８０から送信される位置情報を受信する通信部６０と、位置情報に基づいて画像データから付加情報を抽出し、付加情報を含む画像データを通信部６０に送信させる制御部３０と、を備え、端末装置８０が、送信される画像データを受信し、位置情報を送信する通信部８２と、受信した画像データに基づいて画像を表示する表示部９４と、表示された画像を指示する操作部９２と、指示した画像の位置に基づいて位置情報を生成し、生成した位置情報を通信部８２に送信させる制御部９０と、を備える。【選択図】図２
2018147210.tif 000002
【特許請求の範囲】
【請求項１】
表示装置と、前記表示装置と通信可能な端末装置とを備える表示システムであって、
前記表示装置は、
画像データに基づいて画像を表示する第１表示部と、
前記画像データを前記端末装置に送信し、前記端末装置から送信される位置情報を受信する第１通信部と、
前記位置情報に基づいて前記画像データから付加情報を抽出し、前記第１通信部に前記付加情報を含む前記画像データを前記端末装置へ送信させる第１制御部と、を備え、
前記端末装置は、
前記表示装置から送信される前記画像データを受信し、前記位置情報を前記表示装置に送信する第２通信部と、
前記第２通信部が受信した前記画像データに基づいて前記画像を表示する第２表示部と、
前記第２表示部に表示された前記画像を指示する指示部と、
前記指示部が指示した前記画像の位置に基づいて前記位置情報を生成し、生成した前記位置情報を前記第２通信部に送信させる第２制御部と、を備えることを特徴とする表示システム。
【請求項２】
請求項１に記載の表示システムにおいて、
前記第１表示部は、画像出力装置から受信した前記画像データに基づいて画像を表示することを特徴とする表示システム。
【請求項３】
請求項１乃至２のいずれかに記載の表示システムにおいて、
前記第１制御部は、前記第１表示部に表示された第１画像を示す第１画像データを前記第１通信部から前記端末装置に送信させ、前記第１通信部が前記端末装置から前記位置情報を受信すると、前記位置情報に基づいて抽出した前記付加情報と前記第１画像とを合成した合成画像データを生成し、生成した前記合成画像データを前記第１通信部から前記端末装置に送信させることを特徴とする表示システム。
【請求項４】
請求項１乃至２のいずれかに記載の表示システムにおいて、
前記第１制御部は、前記第１表示部に表示させた第１画像を示す第１画像データを前記第１通信部から前記端末装置に送信させ、前記第１通信部が前記端末装置から前記位置情報を受信すると、前記位置情報に基づいて抽出した前記付加情報が含まれる付加情報画像を示す付加情報画像データを前記位置情報に基づいて生成し、生成した前記付加情報画像データを前記第１通信部から前記端末装置に送信させることを特徴とする表示システム。
【請求項５】
請求項４に記載の表示システムにおいて、
前記第２制御部は、前記第２通信部が受信した前記第１画像データが示す前記第１画像と前記付加情報画像データが示す前記付加情報画像とを合成した合成画像データを生成し、生成した前記合成画像データに基づく合成画像を前記第２表示部に表示させることを特徴とする表示システム。
【請求項６】
請求項２乃至５のいずれか１項に記載の表示システムにおいて、
前記画像データは、前記第１画像を示す前記第１画像データ層と、前記第１画像の描画位置に対応して前記付加情報が記載された付加情報データ層と、を有することを特徴とする表示システム。
【請求項７】
請求項２乃至６のいずれか１項に記載の表示システムにおいて、
前記付加情報は、前記第１画像の色情報を示すことを特徴とする表示システム。
【請求項８】
請求項２乃至６のいずれか１項に記載の表示システムにおいて、
前記付加情報は、前記第１画像を構成するオブジェクトの属性情報を示すことを特徴とする表示システム。
【請求項９】
請求項２乃至６のいずれか１項に記載の表示システムにおいて、
前記付加情報は、前記第１画像を説明する文字情報を示すことを特徴とする表示システム。
【請求項１０】
請求項１乃至９のいずれか１項に記載の表示システムにおいて、
前記端末装置は、前記画像データを記憶する記憶部を備えることを特徴とする表示システム。
【請求項１１】
請求項１乃至１０のいずれか１項に記載の表示システムにおいて、
前記端末装置は複数で構成され、
前記第１制御部は、前記付加情報を含む前記画像データを前記端末装置に送信させることを特徴とする表示システム。
【請求項１２】
請求項１１に記載の表示システムにおいて、
前記第１制御部は、それぞれの前記端末装置から送信される前記位置情報を統計処理し、統計処理した結果を前記第１表示部で表示する前記画像に反映させることを特徴とする表示システム。
【請求項１３】
端末装置と通信可能な表示装置であって、
画像データに基づいて画像を表示する第１表示部と、
前記画像データを前記端末装置に送信し、前記端末装置から送信される位置情報を受信する第１通信部と、
前記位置情報に基づいて前記画像データから付加情報を抽出し、前記付加情報を含む前記画像データを前記第１通信部に送信させる第１制御部と、を備えることを特徴とする表示装置。
【請求項１４】
表示装置と通信可能な端末装置であって、
前記表示装置から送信される画像データを受信し、位置情報を前記表示装置に送信する第２通信部と、
前記第２通信部が受信した前記画像データに基づいて画像を表示する第２表示部と、
前記第２表示部に表示された前記画像を指示する指示部と、
前記指示部が指示した前記画像の位置に基づいて前記位置情報を生成し、生成した前記位置情報を前記第２通信部に送信させる第２制御部と、を備えることを特徴とする端末装置。
【請求項１５】
表示装置と、前記表示装置と通信可能な端末装置とを備える表示システムの制御方法であって、
前記表示装置が画像データに基づいて画像を表示し、
前記表示装置が前記画像データを前記端末装置に送信し、
前記端末装置が受信した前記画像データに基づいて前記画像を表示し、
前記端末装置が前記画像に対して指示された位置に基づいて位置情報を生成し、
前記端末装置が前記位置情報を前記表示装置に送信し、
前記表示装置が受信した前記位置情報に基づいて前記画像データから付加情報を抽出し、
前記表示装置が抽出した前記付加情報を含む前記画像データを前記端末装置に送信し、
前記端末装置が受信した前記画像データに基づいて前記画像を表示する、ことを特徴とする表示システムの制御方法。
【請求項１６】
端末装置と通信可能な表示装置の制御プログラムであって、
画像データに基づいて画像を表示する機能と、
前記画像データを前記端末装置に送信する機能と、
前記端末装置が生成した位置情報を受信する機能と、
前記位置情報に基づいて前記画像データから付加情報を抽出する機能と、
前記付加情報を含む前記画像データを前記端末装置に送信する機能と、をコンピューターに実行させることを特徴とする表示装置の制御プログラム。
【請求項１７】
表示装置と通信可能な端末装置の制御プログラムであって、
前記表示装置が送信した画像データを受信する機能と、
前記画像データに基づいて画像を表示する機能と、
前記画像に対して指示された位置に基づいて位置情報を生成する機能と、
前記位置情報を前記表示装置に送信する機能と、
前記表示装置が送信した付加情報を含む前記画像データを受信する機能と、
前記付加情報を含む前記画像データに基づいて前記画像を表示する機能と、をコンピューターに実行させることを特徴とする端末装置の制御プログラム。
【発明の詳細な説明】
【技術分野】
【０００１】
本発明は、表示システム、表示装置、端末装置、表示システムの制御方法、表示装置の制御プログラムおよび端末装置の制御プログラムに関する。
【背景技術】
【０００２】
表示装置が表示している画像の中で、所望の部分について詳細な情報が必要な場合がある。この場合、下記特許文献１に示すように、デジタルカメラの表示部に表示された画像の所望の領域にカーソルを移動させ、所定の操作を行うと当該領域の色名称が表示される技術が開示されている。
また、近年、会議や授業において、ユーザー毎に携帯する情報端末とプロジェクター装置とを同期させ、プロジェクター装置により画像を拡大してスクリーンに投射すると共に、プロジェクター装置が投射している画像を情報端末に送り、情報端末の表示部でも同じ画像を表示することで、ユーザーの視認性を向上させるシステムが実用されている。このようなシステムに対し、下記特許文献１で示した技術は容易に適用できる。
【０００３】
例えば、ユーザーが情報端末の表示部に表示されている画像の所望の部分に関する情報を知りたい場合、情報端末上で所望の部分を指示すると、スクリーンに投射されている画像に所望の部分の色名称が表示される。これにより、ユーザーは画像の所望部分の色名称を知ることができる。
【先行技術文献】
【特許文献】
【０００４】
【特許文献１】特開２００５−２０２４５２号公報
【発明の概要】
【発明が解決しようとする課題】
【０００５】
しかしながら、スクリーンに投射されている画像に所望の部分の色名称が表示されるため、ユーザー毎に所望の部分が異なる場合、それぞれの色名称が画像に追加されて表示されるため、他のユーザーにとっては元の画像の視認性が低下するという課題があった。
本発明は、上述の課題に鑑みてなされたものであり、付加情報の表示による投射画像の視認性低下を回避するシステムの提供を目的とする。
【課題を解決するための手段】
【０００６】
本発明は、上述の課題の少なくとも一部を解決するためになされたものであり、以下の形態又は適用例として実現することが可能である。
【０００７】
［適用例１］
本適用例にかかる表示システムは、表示装置と、前記表示装置と通信可能な端末装置とを備える表示システムであって、前記表示装置は、画像データに基づいて画像を表示する第１表示部と、前記画像データを前記端末装置に送信し、前記端末装置から送信される位置情報を受信する第１通信部と、前記位置情報に基づいて前記画像データから付加情報を抽出し、前記第１通信部に前記付加情報を含む前記画像データを前記端末装置へ送信させる第１制御部と、を備え、前記端末装置は、前記表示装置から送信される前記画像データを受信し、前記位置情報を前記表示装置に送信する第２通信部と、前記第２通信部が受信した前記画像データに基づいて前記画像を表示する第２表示部と、前記第２表示部に表示された前記画像を指示する指示部と、前記指示部が指示した前記画像の位置に基づいて前記位置情報を生成し、生成した前記位置情報を前記第２通信部に送信させる第２制御部と、を備えることを特徴とする。
【０００８】
このような構成によれば、表示装置から送信された画像データは端末装置に受信され、画像データが示す画像は端末装置の第２表示部に表示され、画像が指示された位置に基づく位置情報は表示装置に送信される。表示装置は、位置情報に基づいて画像データから付加情報を抽出し、付加情報を含む画像データを端末装置に送信する。従って、付加情報を含む画像は端末装置の第２表示部に表示されるため、表示装置の第１表示部で表示される画像に付加情報を含む画像が表示されないことから、第１表示部の視認性の低下を回避できる。
【０００９】
［適用例２］
上記適用例にかかる表示システムにおいて、前記第１表示部は、画像出力装置から受信した前記画像データに基づいて画像を表示しても良い。
【００１０】
［適用例３］
上記適用例にかかる表示システムにおいて、前記第１制御部は、前記第１表示部に表示された第１画像を示す第１画像データを前記第１通信部から前記端末装置に送信させ、前記第１通信部が前記端末装置から前記位置情報を受信すると、前記位置情報に基づいて抽出した前記付加情報と前記第１画像とを合成した合成画像データを生成し、生成した前記合成画像データを前記第１通信部から前記端末装置に送信させることが好ましい。
【００１１】
このような構成によれば、表示装置の第１制御部は、端末装置から送信された位置情報に基づいて抽出した付加情報と第１画像とを合成した合成画像データを生成し、生成した合成画像データを端末装置に送信するため、端末装置は画像の合成処理が不要になり、端末装置による処理の負担を軽減できる。
【００１２】
［適用例４］
上記適用例にかかる表示システムにおいて、前記第１制御部は、前記第１表示部に表示させた第１画像を示す第１画像データを前記第１通信部から前記端末装置に送信させ、前記第１通信部が前記端末装置から前記位置情報を受信すると、前記位置情報に基づいて抽出した前記付加情報が含まれる付加情報画像を示す付加情報画像データを前記位置情報に基づいて生成し、生成した前記付加情報画像データを前記第１通信部から前記端末装置に送信させることが好ましい。
【００１３】
このような構成によれば、表示装置の第１制御部は、端末装置から送信された位置情報に基づいて抽出した付加情報を含む付加情報画像の付加情報画像データを生成し、生成した付加情報画像データを端末装置に送信するため、表示装置による処理の負担を軽減できる。
【００１４】
［適用例５］
上記適用例にかかる表示システムにおいて、前記第２制御部は、前記第２通信部が受信した前記第１画像データが示す前記第１画像と前記付加情報画像データが示す前記付加情報画像とを合成した合成画像データを生成し、生成した前記合成画像データに基づく合成画像を前記第２表示部に表示させることが好ましい。
【００１５】
このような構成によれば、端末装置の第２制御部は、受信した付加情報画像データが示す付加情報画像と第１画像とを合成し、合成した合成画像を表示させることができる。
【００１６】
［適用例６］
上記適用例にかかる表示システムにおいて、前記画像データは、前記第１画像を示す前記第１画像データ層と、前記第１画像の描画位置に対応して前記付加情報が記載された付加情報データ層と、を有することが好ましい。
【００１７】
このような構成によれば、画像データから第１画像データと付加情報データとが分離されているため、必要に応じて一方のデータを容易に取得できる。
【００１８】
［適用例７］
上記適用例にかかる表示システムにおいて、前記付加情報は、前記第１画像の色情報を示しても良い。
【００１９】
［適用例８］
上記適用例にかかる表示システムにおいて、前記付加情報は、前記第１画像を構成するオブジェクトの属性情報を示しても良い。
【００２０】
［適用例９］
上記適用例にかかる表示システムにおいて、前記付加情報は、前記第１画像を説明する文字情報を示しても良い。
【００２１】
［適用例１０］
上記適用例にかかる表示システムにおいて、前記端末装置は、前記画像データを記憶する記憶部を備えることが好ましい。
【００２２】
このような構成によれば、端末装置は、画像データを記憶することができる。
【００２３】
［適用例１１］
上記適用例にかかる表示システムにおいて、前記端末装置は複数で構成され、前記第１制御部は、前記付加情報を含む前記画像データを前記端末装置に送信させることが好ましい。
【００２４】
このような構成によれば、付加情報を含む画像データは複数の端末装置に送信されるため、位置情報を送信した端末装置以外の端末装置に対しても付加情報を含む画像データを送り、表示させることができる。
【００２５】
［適用例１２］
上記適用例にかかる表示システムにおいて、前記第１制御部は、それぞれの前記端末装置から送信される前記位置情報を統計処理し、統計処理した結果を前記第１表示部で表示する前記画像に反映させることが好ましい。
【００２６】
このような構成によれば、表示装置の第１制御部は、複数の端末装置から送信された位置情報を統計処理し、統計処理した結果を第１表示部に表示させるため、複数の端末装置で指示された位置情報の統計結果を周知させることができる。
【００２７】
［適用例１３］
本適用例にかかる表示装置は、端末装置と通信可能な表示装置であって、画像データに基づいて画像を表示する第１表示部と、前記画像データを前記端末装置に送信し、前記端末装置から送信される位置情報を受信する第１通信部と、前記位置情報に基づいて前記画像データから付加情報を抽出し、前記付加情報を含む前記画像データを前記第１通信部に送信させる第１制御部と、を備えることを特徴とする。
【００２８】
このような構成によれば、表示装置から送信された画像データは端末装置に受信され、画像データが示す画像は端末装置の第２表示部に表示され、画像が指示された位置に基づく位置情報は表示装置に送信される。表示装置は、位置情報に基づいて画像データから付加情報を抽出し、付加情報を含む画像データを端末装置に送信する。従って、付加情報を含む画像は端末装置の第２表示部に表示されるため、表示装置の第１表示部で表示される画像に付加情報を含む画像が表示されないことから、第１表示部の視認性の低下を回避できる。
【００２９】
［適用例１４］
本適用例にかかる端末装置は、表示装置と通信可能な端末装置であって、前記表示装置から送信される前記画像データを受信し、前記位置情報を前記表示装置に送信する第２通信部と、前記第２通信部が受信した前記画像データに基づいて画像を表示する第２表示部と、前記第２表示部に表示された前記画像を指示する指示部と、前記指示部が指示した前記画像の位置に基づいて前記位置情報を生成し、生成した前記位置情報を前記第２通信部に送信させる第２制御部と、を備えることを特徴とする。
【００３０】
このような構成によれば、表示装置から送信された画像データを端末装置が受信し、画像データが示す画像を第２表示部に表示し、画像が指示された位置に基づく位置情報は表示装置に送信される。送信された位置情報に基づいて画像データから付加情報が抽出され、付加情報を含む画像データが端末装置に送信される。従って、付加情報を含む画像は端末装置の第２表示部に表示されるため、表示装置が表示している画像の視認性の低下を回避できる。
【００３１】
［適用例１５］
本適用例にかかる表示システムの制御方法は、表示装置と、前記表示装置と通信可能な端末装置とを備える表示システムの制御方法であって、前記表示装置が画像データに基づいて画像を表示し、前記表示装置が前記画像データを前記端末装置に送信し、前記端末装置が受信した前記画像データに基づいて前記画像を表示し、前記端末装置が前記画像に対して指示された位置に基づいて位置情報を生成し、前記端末装置が前記位置情報を前記表示装置に送信し、前記表示装置が受信した前記位置情報に基づいて前記画像データから付加情報を抽出し、前記表示装置が抽出した前記付加情報を含む前記画像データを前記端末装置に送信し、前記端末装置が受信した前記画像データに基づいて前記画像を表示する、ことを特徴とする。
【００３２】
このような方法によれば、表示装置から送信された画像データは端末装置に受信され、画像データが示す画像は端末装置の第２表示部に表示され、画像が指示された位置に基づく位置情報は表示装置に送信される。表示装置は、位置情報に基づいて画像データから付加情報を抽出し、付加情報を含む画像データを端末装置に送信する。従って、付加情報を含む画像は端末装置の第２表示部に表示されるため、表示装置の第１表示部で表示される画像に付加情報を含む画像が表示されないことから、第１表示部の視認性の低下を回避できる。
【００３３】
［適用例１６］
本適用例にかかる表示装置の制御プログラムは、端末装置と通信可能な表示装置の制御プログラムであって、画像データに基づいて画像を表示する機能と、前記画像データを前記端末装置に送信する機能と、前記端末装置が生成した位置情報を受信する機能と、前記位置情報に基づいて前記画像データから付加情報を抽出する機能と、前記付加情報を含む前記画像データを前記端末装置に送信する機能と、をコンピューターに実行させることを特徴とする。
【００３４】
このような構成によれば、表示装置は画像データを端末装置に送信し、画像データに対して端末装置が送信する位置情報を受信し、受信した位置情報に基づいて画像データから付加情報を抽出し、付加情報を含む画像データを端末装置に送信する。従って、付加情報を含む画像は端末装置に送信されるが、表示装置には付加情報を含む画像が表示されないことから、表示装置における視認性の低下を回避できる。
【００３５】
［適用例１７］
本適用例にかかる端末装置の制御プログラムは、表示装置と通信可能な端末装置の制御プログラムであって、前記表示装置が送信した画像データを受信する機能と、前記画像データに基づいて画像を表示する機能と、前記画像に対して指示された位置に基づいて位置情報を生成する機能と、前記位置情報を前記表示装置に送信する機能と、前記表示装置が送信した付加情報を含む前記画像データを受信する機能と、前記付加情報を含む前記画像データに基づいて前記画像を表示する機能と、をコンピューターに実行させることを特徴とする。
【００３６】
このような構成によれば、端末装置は、表示装置から送信される画像データを受信し、画像データが示す画像を表示し、画像が指示された位置に基づく位置情報を表示装置に送信することにより、位置情報に基づく付加情報を含む画像データを受信して表示する。従って、端末装置は付加情報を含む画像を表示できる。
【図面の簡単な説明】
【００３７】
【図１】実施形態に係る表示システムの概構成を示す図。
【図２】表示システムの機能構成を示すブロック図。
【図３】コンテンツデータの構成を説明する図。
【図４】投射部の光学系を模式的に示す図。
【図５】表示システムによる表示処理の流れを示すフローチャート。
【図６Ａ】端末装置に表示された合成画像の表示例を示す図。
【図６Ｂ】端末装置に表示された合成画像の表示例を示す図。
【発明を実施するための形態】
【００３８】
以下、本発明の実施形態について図面を参照して説明する。
【００３９】
（実施形態）
図１は、本発明を適用した実施形態に係る表示システム１００の概構成を示す図である。表示システム１００は、プロジェクター装置１０と、端末装置８０Ａ，８０Ｂとを備えている。
プロジェクター装置１０は、表示装置の１つであり、表示面を有するホワイトボード等のスクリーンＳＣの上方に設置されている。また、プロジェクター装置１０は、無線通信を介して端末装置８０Ａ，８０Ｂと通信可能に接続されている。
本実施形態では、端末装置８０Ａはノートパソコン（コンピューター）であり、端末装置８０Ｂはタブレット端末である。尚、端末装置８０Ａ，８０Ｂは、スマートフォンのような高機能携帯電話であっても良い。また、プロジェクター装置１０と接続可能な端末装置８０Ａ，８０Ｂの数は２台には限定されない。また、プロジェクター装置１０との通信は、無線通信には限定されず、有線通信であっても良い。
【００４０】
本実施形態では、プロジェクター装置１０はインタラクティブ機能を有する装置を想定している。
プロジェクター装置１０は、入力されたコンテンツデータ３５０（図２）に基づく画像を投射面としてのスクリーンＳＣに投射する。このプロジェクター装置１０は短焦点型であって、スクリーンＳＣの直上に設置され、斜め下方に向けて画像を投射する態様を想定する。
ユーザーは、プロジェクター装置１０が投射しているスクリーンＳＣの画像に対して、指示体７０を操作することで所望の図形等を書き加えることができる。
【００４１】
また、プロジェクター装置１０は、スクリーンＳＣに投射している画像の画像データを端末装置８０Ａ，８０Ｂに送信する。端末装置８０Ａ，８０Ｂは、受信した画像データに基づいて画像を生成し、生成した画像をそれぞれの表示部９４に表示する。ユーザーは、端末装置８０Ａ，８０Ｂの表示部９４に表示された画像を手指ＦＧ（図６Ａ，図６Ｂ）や、図示を略したポインティングデバイス等で指示できる。
図２は、表示システム１００の機能構成を示すブロック図である。
端末装置８０は、受信部８４および送信部８６を有する通信部８２と、制御部９０と、操作部９２と、表示部９４と、記憶部９６と、を備える。尚、通信部８２は第２通信部に相当し、制御部９０は第２制御部に相当する。また、操作部９２は指示部に相当し、表示部９４は第２表示部に相当する。
本実施形態では、通信部８２は、プロジェクター装置１０から送信される画像データを受信し、位置に関する情報をプロジェクター装置１０に送信する。また、表示部９４は、通信部８２が受信した画像データに基づいて画像を表示する。また、操作部９２は、表示部９４に表示された画像に対する指示を行う。また、制御部９０は、操作部９２で指示した画像の位置に基づいて位置に関する情報を生成し、プロジェクター装置１０に対して生成した情報を通信部８２に送信させる。
【００４２】
尚、制御部９０は、何れも図示しないＣＰＵ（Central Processing Unit）、ＲＯＭ（Read Only Memory）、ＤＲＡＭ（Dynamic Random Access Memory）等を備え、ＲＯＭに記憶した基本制御プログラムをＤＲＡＭに読み込み、ＣＰＵにより実行して、プロジェクター装置１０を制御する一種のコンピューターである。また、制御部９０は、記憶部９６に記憶されたプログラムを実行することにより機能を実現する。記憶部９６は、例えば、プログラムを記憶可能なＲＯＭを想定する。
【００４３】
本実施形態では、端末装置８０は、タブレット端末のような多機能携帯端末を想定し、表示部９４および操作部９２が一体となったタッチパネルを採用している。
プロジェクター装置１０は、データ入力部１１を備える。
データ入力部１１は、例えば、ＵＳＢインターフェイス、有線または無線ＬＡＮインターフェイス等の通信インターフェイスであっても良い。例えば、データ入力部１１が備えるＬＡＮインターフェイスに、サーバー装置や他のプロジェクターが接続されても良い。
【００４４】
また、データ入力部１１は、アナログ映像信号やデジタル画像データが入力される画像入力端子を備えていても良い。画像入力端子は、ＶＧＡ端子、ＤＶＩ（Digital Visual Interface）、Ｓ映像端子、ＲＣＡ端子、Ｄ端子、ＨＤＭＩ（登録商標）規格に準拠したＨＤＭＩコネクター等である。データ入力部１１は、これらの画像入力端子に対応するインターフェイス回路や画像処理回路を備えていても良い。また、データ入力部１１は、フラッシュメモリー等に記憶された画像データを読み取る読取機能を備えても良い。
このプロジェクター装置１０は、画像データを処理する画像処理系と、光学的な画像の形成を行う投射部２００と、に大別できる。
【００４５】
＜画像処理系の機能＞
プロジェクター装置１０は、画像処理系の機能部として、通信部６０、操作パネル１９、位置検出部５０、制御部３０、記憶部３５、画像処理部４０、光源駆動部１４、光変調装置駆動部１５および投射光学系駆動部１６を備える。
第１通信部に相当する通信部６０は、送信部６２および受信部６４を備え、制御部３０の制御に基づいて端末装置８０との間で通信する。本実施形態では、通信部６０は、例えば、Bluetooth（登録商標）（BTLE：Bluetooth Low Energyを含む）、Ｗｉ−Ｆｉ（登録商標）（Wi-Fi：Wireless Fidelity）、Ｚｉｇｂｅｅ（登録商標）、ＮＦＣ（Near field communication）、ＡＮＴ＋（登録商標）等の無線通信規格に対応した通信を想定する。
本実施形態では、通信部６０は、画像データを端末装置８０に送信し、端末装置８０から送信される位置情報を受信する。
【００４６】
操作パネル１９は、プロジェクター装置１０の外装筐体に設けられ、各種スイッチおよびインジケーターランプを有する。
記憶部３５は、制御部３０が実行する制御プログラム３６、および、制御部３０が処理するデータを記憶する。
指示体７０は、プロジェクター装置１０とは別体であり、ユーザーにより把持される。指示体７０は、操作スイッチ７２および赤外線信号を出力する表示情報送信部７４を備えている。表示情報送信部７４は、周期的に赤外線信号を送信すると共に、操作スイッチ７２の操作状態（オン／オフ）によって赤外線信号を変調し、操作スイッチ７２のオン／オフを示すデータを送信する。
位置検出部５０は、撮像部５１、表示情報受信部５２、撮影制御部５３、指示体検出部５４および座標算出部５５を備える。
【００４７】
撮像部５１は、撮像光学系、撮像素子、インターフェイス回路等を有し、投射光学装置２９０の投射方向を撮影する。撮像部５１の撮像光学系は、投射光学装置２９０と同じ方向を向いて配置され、投射光学装置２９０がスクリーンＳＣ上に画像を投射する範囲をカバーする画角を有する。また、撮像素子としてはＣＣＤやＣＭＯＳが挙げられる。インターフェイス回路は、撮像素子の検出値を読み出して出力する。
撮影制御部５３は、撮像部５１により撮影を実行させて撮影画像データを生成する。撮影制御部５３の制御により撮像部５１が撮影を実行すると、スクリーンＳＣ上に投射された画像とともに、スクリーンＳＣ上またはその近傍で操作されている指示体７０が撮影される。
【００４８】
表示情報受信部５２は、表示情報送信部７４が送信した信号に基づいて受信データを出力する。表示情報受信部５２が出力する受信データは、操作スイッチ７２の操作状態を示すデータを含んでいる。
指示体検出部５４は、撮影制御部５３が生成する撮影画像データに基づいて、指示体７０の位置を検出する。
座標算出部５５は、指示体検出部５４が特定した撮影画像データにおける指示体７０の位置に基づき、指示体７０の先端がスクリーンＳＣ上で指し示している位置の座標、すなわち操作位置の座標を算出する。
【００４９】
記憶部３５は、制御部３０が実行する制御プログラム３６、および、制御部３０が処理するデータを記憶する。
制御部３０は、第１制御部に相当し、何れも図示しないＣＰＵ（Central Processing Unit）、ＲＯＭ（Read Only Memory）、ＤＲＡＭ（Dynamic Random Access Memory）等を備え、ＲＯＭに記憶した基本制御プログラムをＤＲＡＭに読み込み、ＣＰＵにより実行して、プロジェクター装置１０を制御する一種のコンピューターである。また、制御部３０は、記憶部３５に記憶された制御プログラム３６を実行することにより、投射制御部３１、検出制御部３２および付加情報表示制御部３３としての機能を実現する。
本実施形態では、制御部３０は、端末装置８０から送信された位置に関する情報に基づいて、画像データから付加情報を抽出し、付加情報を含む画像データを端末装置８０へ通信部６０から送信させる機能を備える。
【００５０】
投射制御部３１は、操作パネル１９から指示される操作データに基づいて、操作者が行った操作の内容を取得する。投射制御部３１は、操作者が行った操作に応じて画像処理部４０、光変調装置駆動部１５、投射光学系駆動部１６および光源駆動部１４を制御して、スクリーンＳＣに画像を投射させる。また、投射制御部３１は、投射光学系駆動部１６を制御して、投射光学装置２９０によるフォーカス調整、ズーム調整、絞り調整等を実行させる。
検出制御部３２は、位置検出部５０を制御して、指示体７０の操作位置の検出を実行させ、操作位置の座標と操作スイッチ７２の操作状態とを検出する。
【００５１】
更に、検出制御部３２は、指示体７０の操作位置および操作スイッチ７２の操作状態に基づいて、描画機能を有する画像処理部４０に対して描画の実行を制御する。
尚、描画機能の１つとして、画像処理部４０は、例えば、スクリーンＳＣ上での指示体７０の移動軌跡に基づく線分を投射している画像に重畳して描画する機能（ホワイトボード機能）を備えても良い。
付加情報表示制御部３３は、端末装置８０から通信部８２を介して送信される指示に基づいて、投射している画像に付加する付加情報の生成を制御する。更に、付加情報表示制御部３３は指示を送信した端末装置８０に対して、生成した付加情報の送信を制御する。
プロジェクター装置１０のユーザーは、操作パネル１９等を操作することにより、端末装置８０から送信される指示に基づいて付加情報を生成するか、否かを予め設定できる。更に、生成対象とする付加情報の種類も予め設定できる。
【００５２】
画像処理部４０は、画像入力部４１、画像処理制御部４２、描画処理部４３、付加情報抽出部４５及びフレームメモリー４４を備え、データ入力部１１を介して入力されたデータを処理する。
尚、画像処理部４０は、投射部２００からスクリーンＳＣに投射する画像データを生成する機能と、コンテンツデータ３５０から取得した付加情報に関する画像データを生成する機能と、を有する。
画像入力部４１は、入力されたコンテンツデータ３５０を一時的に保持する。コンテンツデータ３５０は、例えば、画像出力装置としての端末装置８０Ａから送信され、プロジェクター装置１０がコンテンツデータ３５０を受信することにより入力される態様を想定できる。
【００５３】
＜投射する画像データを生成する機能＞
画像処理制御部４２は、画像入力部４１が保持するコンテンツデータ３５０に含まれる主画像データ（図３を参照）を取得し、解像度変換、色変換等の各種変換処理を適宜実行し、予め設定されたフォーマットに基づく画像データを生成する。
描画処理部４３は、画像処理制御部４２により処理された画像データに基づいてフレームメモリー４４にフレーム毎の画像を展開する。
フレームメモリー４４に展開された画像データは、光変調装置駆動部１５に出力される。
【００５４】
光変調装置駆動部１５は、画像処理部４０が出力した画像データに基づいて光変調装置２８０を駆動して描画を行い、投射光学装置２９０が描画したイメージを光学的に拡大投射する。これにより、画像データに基づく主画像３８０（図３）がスクリーンＳＣに投射される。
また、制御部３０は、フレームメモリー４４に展開した画像データを、通信部６０を介して端末装置８０に送信する。尚、送信する画像データはコンテンツデータ３５０に含まれる主画像データであっても良く、また、ホワイトボード機能が有効である場合には、スクリーンＳＣに描画された画像の画像データであっても良い。端末装置８０は、受信した画像データに基づく主画像３８０を表示部９４に表示する。
【００５５】
これにより、端末装置８０を操作するユーザーは、スクリーンＳＣに投射されているのと同一な画像を端末装置８０の表示部９４でも視認できる。
＜付加情報に関する画像データを生成する機能＞
付加情報抽出部４５は、付加情報表示制御部３３の指示に基づいて、画像入力部４１が保持するコンテンツデータ３５０から付加情報を抽出し、抽出した付加情報を画像処理制御部４２に送る。
ここで、図３はコンテンツデータ３５０の構成を説明する図である。本実施形態では、コンテンツデータ３５０は、主画像３８０のデータを示す主画像データ層（第１画像データ層）、および、主画像３８０の描画位置に対応して付加情報が記載された付加情報データ層である、付加情報データＡや付加情報データＢの３層で構成されている。尚、層数は限定されない。
【００５６】
主画像データは、写真データや描画データのように、ドットの集合で構成されるイメージデータである。図３の場合、主画像データは風景を撮影した写真データである。
付加情報データＡは、主画像データ上での位置に対応する色情報３７２（図６Ａ）、例えば、色名称を示すテキストデータである。図３の場合、付加情報データＡは、写真データのオブジェクトに対応する色名称（例えば、山が描かれる色は「黄緑色」）が記述されている。
付加情報データＢは、主画像データ上での位置に対応するオブジェクトの属性に関する情報を示すテキストデータである。図３の場合、付加情報データＢは、写真データのオブジェクトに対応するオブジェクト名（例えば、山の名前は「××山」）が記述されている。
【００５７】
また、その他の付加情報として、写真データの被写体に関する説明文、動画の場合の言語字幕、音楽の歌詞等の種々の文字情報も想定できる。
ここで、例えば、生成対象とする付加情報の種類が色情報３７２であった場合、付加情報抽出部４５は、端末装置８０から送信される位置に関する情報を示す指示位置（位置情報）に対応する主画像３８０の対象領域の色名称を付加情報データＡから抽出する。抽出された色名称は付加情報として画像処理制御部４２に送られる。
画像処理制御部４２は、付加情報表示制御部３３の指示に基づいて、付加情報抽出部４５から送られる付加情報に関する画像を生成する。
尚、付加情報に関する画像を生成する態様は、以下の２つが想定できる。
【００５８】
１つの態様は、画像処理制御部４２が、主画像３８０（図６Ａ）に付加情報を合成した合成画像のデータ（合成画像データ）を生成する場合である。
この場合、制御部３０は、画像処理制御部４２が生成した合成画像データを端末装置８０に通信を介して送信する。端末装置８０は、受信した合成画像データが示す合成画像を表示部９４に表示する。
また、他の１つの態様は、画像処理制御部４２が、付加情報を対象とした付加情報画像のデータ（付加情報画像データ）を生成する場合である。
この場合、制御部３０は、付加情報画像のデータを端末装置８０に送る。端末装置８０は、付加情報画像のデータを受け取り、主画像３８０と付加情報画像とを合成した合成画像を示す合成画像データを生成して表示部９４に表示する。
【００５９】
何れの場合であっても、端末装置８０を操作するユーザーは、スクリーンＳＣに投射されている主画像３８０に付加情報が付加された合成画像を端末装置８０の表示部９４で視認できる。
＜投射機能の説明＞
次に、投射部２００について説明する。投射部２００は、画像データに基づいて画像を表示する第１表示部に相当し、光源装置２５５、光変調装置２８０および投射光学装置２９０を備える。
図４は、投射部２００の光学系を模式的に示す図である。図４を参照して光学系の概略構成を説明する。
【００６０】
投射部２００の光学系は、光学ユニット２５１として構成されている。光学ユニット２５１は、光学部品用筐体２５２、光源装置２５５、照明光学装置２６０、色分離光学装置２６５、リレー光学装置２７０、光変調装置２８０および投射光学装置２９０を備えている。これらの各装置を構成する光学部品は光学部品用筐体２５２に収納されている。
光源装置２５５は、光束を射出する発光管２５６およびリフレクター２５７を備えている。光源装置２５５は、発光管２５６から射出された光束をリフレクター２５７で反射させて射出方向を揃え、照明光学装置２６０に向けて射出する。尚、照明光軸ＯＣは、光源装置２５５から被照明領域側に射出される光束の中心軸である。尚、光源は、キセノンランプ、超高圧水銀ランプ、ＬＥＤ（Light Emitting Diode）、レーザー光源等を想定できる。
【００６１】
照明光学装置２６０はレンズアレイ２６１，２６２、偏光変換素子２６３、重畳レンズ２６４およびフィールドレンズ２６９を備え、光源装置２５５から射出された光束に対し、照明光軸ＯＣと直交する面内での照度を均一化する機能を有する。
色分離光学装置２６５はダイクロイックミラー２６６，２６７や反射ミラー２６８を備え、照明光学装置２６０から射出された光束を、赤色（Ｒ）光、緑色（Ｇ）光、青色（Ｂ）光の３色の色光に分離して３つの液晶装置２８５Ｒ，２８５Ｇ，２８５Ｂに導光する。
リレー光学装置２７０は入射側レンズ２７２、リレーレンズ２７６および反射ミラー２７４，２７８を備える。このリレー光学装置２７０は、色分離光学装置２６５で分離された色光（本実施形態ではＢ光）に対し、光路の長さが他の色光の光路の長さよりも長くなるため、光の発散などによる光の利用効率の低下を防止し、液晶装置２８５Ｂまで導く。
【００６２】
光変調装置２８０は、３つの入射側偏光板２８４、３つの液晶装置２８５Ｒ，２８５Ｇ，２８５Ｂ、３つの射出側偏光板２８６およびクロスダイクロイックプリズム２８８を備える。液晶装置２８５Ｒ，２８５Ｇ，２８５Ｂは、色分離光学装置２６５で分離された各色光を画像信号に応じて変調する。クロスダイクロイックプリズム２８８は、液晶装置２８５Ｒ，２８５Ｇ，２８５Ｂにより変調された各色光を合成し、投射光学装置２９０側に射出する。
尚、光変調装置２８０は、液晶パネルを用いた方式には限定されず、ＤＬＰ（Ｄｉｇｉｔａｌ  Ｌｉｇｈｔ  Ｐｒｏｃｅｓｓｉｎｇ）方式やＬＣＯＳ（Ｌｉｑｕｉｄ  Ｃｒｙｓｔａｌ  Ｏｎ  Ｓｃｒｅｅｎ）方式等の他の方式も想定できる。
【００６３】
投射光学装置２９０は、超短焦点の投射レンズ２９２および曲面を有する反射ミラー２９４を備える。この投射光学装置２９０は、光変調装置２８０で変調され合成された光束を、投射レンズ２９２で拡大し、反射ミラー２９４で反射してスクリーンＳＣの表示面に向けて拡大投射することにより、画像信号に基づく画像が表示面に表示される。
投射光学装置２９０は、投射する画像の拡大・縮小および焦点の調整を行うズームレンズ、ズームの度合いを調整するズーム調整用モーターや、フォーカスの調整を行うフォーカス調整用モーター等を備えている。
投射部２００には、制御部３０の制御に従って投射光学装置２９０が備える各モーターを駆動する投射光学系駆動部１６、および、制御部３０の制御に従って光源装置２５５が備える光源を駆動する光源駆動部１４が接続されている。
【００６４】
＜画像表示処理＞
図５は、表示システム１００による表示制御方法（制御プログラム３６）の処理の流れを示すフローチャートである。
尚、このフローチャートでは、画像処理制御部４２が合成画像のデータを生成する態様を想定して説明する。
最初に、プロジェクター装置１０は、コンテンツデータ３５０に含まれる主画像データ（第１画像データ）が示す主画像（第１画像）３８０をスクリーンＳＣに投射する（ステップＳ３００）。
次に、プロジェクター装置１０は、主画像データを端末装置８０に送信する（ステップＳ３０２）。
【００６５】
端末装置８０は、主画像データを受信し（ステップＳ３０４）、受信した主画像データが示す主画像３８０を表示する（ステップＳ３０６）。
次に、端末装置８０は、表示された主画像３８０上が指示されたか、否かを判定する（ステップＳ３０８）。
ここで、表示された主画像３８０上が指示されていないと判定した場合（ステップＳ３０８でＮｏ）、ステップＳ３０６に戻る。
他方で、表示された主画像３８０上が指示されたと判定した場合（ステップＳ３０８でＹｅｓ）、端末装置８０は主画像３８０上で指示された座標値（位置情報）を算出する（ステップＳ３１０）。
【００６６】
次に、端末装置８０は、算出した座標値データをプロジェクター装置１０に送信する（ステップＳ３１２）。
プロジェクター装置１０は、座標値データを受信する（ステップＳ３１４）。
次に、プロジェクター装置１０は、付加情報を表示するか、否かを判定する（ステップＳ３１６）。
ここで、付加情報を表示しないと判定した場合（ステップＳ３１６でＮｏ）、画像表示処理を終了する。
他方で、付加情報を表示すると判定した場合（ステップＳ３１６でＹｅｓ）、設定されている付加情報データを取得する（ステップＳ３１８）。
【００６７】
次に、プロジェクター装置１０は、座標値データが示す座標値から対象領域を決定し、その対象領域に対応する付加情報を付加情報データから抽出する（ステップＳ３２０）。
次に、プロジェクター装置１０は、主画像３８０および付加情報を合成した合成画像を生成する（ステップＳ３２２）。
次に、プロジェクター装置１０は、座標値データを送信した端末装置８０に対して、合成画像データを送信する（ステップＳ３２４）。
端末装置８０は、合成画像データを受信する（ステップＳ３２６）。次に、端末装置８０は、受信した合成画像データが示す合成画像を表示し（ステップＳ３２８）、画像表示処理を終了する。尚、端末装置８０は、表示している合成画像を記憶部９６に読み出し可能に記憶しても良い。
【００６８】
図６Ａおよび図６Ｂは、端末装置８０に表示された合成画像の表示例を示す図である。
図６Ａは、主画像３８０に付加情報データＡを付加するように設定されている場合である。ユーザーは、端末装置８０の表示部９４において、手指ＦＧで主画像３８０における「山」を指示した場合、「山」の指示位置に対応する色情報「黄緑色」が付加情報データＡから抽出され、更に、指示位置に対応する色情報（ＲＧＢ値）が主画像データから取得され、２つの情報が色情報３７２として主画像３８０に付加されて表示される。尚、ＲＧＢ値は、付加情報データＡや他の付加情報データに記載されていても良い。
【００６９】
尚、色情報３７２は、「黄緑色」およびＲＧＢ値の何れか一方であっても良い。例えば、色覚障害者を対象としてＲＧＢ値のみを表示しても良い。
また、図６Ｂは、主画像３８０に付加情報データＢを付加するように設定されている場合である。ユーザーは、端末装置８０の表示部９４において、手指ＦＧで主画像３８０における「家屋」を指示した場合、「家屋」の指示位置に対応する属性情報「○○さん宅」が付加情報データＢから抽出され、この属性情報３７４が主画像３８０に付加されて表示される。
【００７０】
以上述べた実施形態によれば、以下のような効果を奏する。
（１）主画像３８０を投射しているプロジェクター装置１０から送信された主画像データは端末装置８０に受信され、主画像データが示す主画像は端末装置８０の表示部９４に表示される。ユーザーにより表示部９４が表示している主画像３８０が指示されると、指示された位置に基づく位置情報はプロジェクター装置１０に送信される。プロジェクター装置１０は、位置情報に基づいてコンテンツデータ３５０から付加情報を抽出し、付加情報を含む画像データを端末装置８０に送信する。これにより、主画像３８０を指示したユーザーは、端末装置８０の表示部９４に表示される付加情報を含む画像を視認できる。例えば、付加情報として指示した領域の色情報を表示することで、色覚障害者に対して主画像３８０の色のイメージを伝達することができる。また、プロジェクター装置１０が投射している主画像３８０には付加情報を含む画像が表示されないため、他のユーザーは視認性が低下することなく投射されている主画像を視認できる。
【００７１】
（２）プロジェクター装置１０の制御部３０は、端末装置８０から送信された位置情報に基づいて抽出した付加情報と主画像３８０とを合成した合成画像データを生成し、生成した合成画像データを端末装置８０に送信する。従って、端末装置８０は画像の合成処理が不要になり、端末装置８０による処理の負担を軽減できる。
（３）プロジェクター装置１０の制御部３０は、端末装置８０から送信された位置情報に基づいて抽出した付加情報を含む付加情報画像の付加情報画像データを生成し、生成した付加情報画像データを端末装置８０に送信する。そして、端末装置８０の制御部９０は、受信した付加情報画像データが示す付加情報画像と主画像３８０とを合成し、合成した合成画像を表示させる。これにより、プロジェクター装置１０側の処理の負担を軽減できる。
（４）コンテンツデータ３５０から主画像データと付加情報データとが分離されているため、一方のデータの取得が容易にできる。
【００７２】
以上、本発明を図示した実施形態に基づいて説明したが、本発明は、本実施形態に限定されるものではなく、以下に述べるような変形例も想定できる。
（１）プロジェクター装置１０は、座標値データを送信した端末装置８０のみに対して、合成画像データや付加情報画像データを送信する態様には限定されない。プロジェクター装置１０と通信可能に接続している他の端末装置８０に対しても合成画像データや付加情報画像データを送信しても良い。
【００７３】
（２）複数の端末装置８０で表示システム１００が構成されている場合、制御部３０は、それぞれの端末装置８０から送信された対象領域を統計処理し、投射している画像に統計処理した結果を反映させても良い。例えば、多くの端末装置８０が要求している付加価値の場所を強調してスクリーンＳＣに表示しても良い。
また、以上のような手法を実施する装置は、単独の装置によって実現される場合もあれば、複数の装置を組み合わせることによって実現される場合もあり、各種の態様を含むものである。
【符号の説明】
【００７４】
１０…プロジェクター装置、１１…データ入力部、１４…光源駆動部、１５…光変調装置駆動部、１６…投射光学系駆動部、１９…操作パネル、３０…制御部、３１…投射制御部、３２…検出制御部、３３…付加情報表示制御部、３５…記憶部、３６…制御プログラム、４０…画像処理部、４１…画像入力部、４２…画像処理制御部、４３…描画処理部、４４…フレームメモリー、４５…付加情報抽出部、５０…位置検出部、５１…撮像部、５２…受信部、５３…撮影制御部、５４…指示体検出部、５５…座標算出部、６０…通信部、６２…送信部、６４…受信部、７０…指示体、７２…操作スイッチ、７４…送信部、８０，８０Ａ，８０Ｂ…端末装置、８２…通信部、８４…受信部、８６…送信部、９０…制御部、９２…操作部、９４…表示部、９６…記憶部、１００…表示システム、２００…投射部、２５１…光学ユニット、２５２…光学部品用筐体、２５５…光源装置、２５６…発光管、２５７…リフレクター、２６０…照明光学装置、２６１，２６２…レンズアレイ、２６３…偏光変換素子、２６４…重畳レンズ、２６５…色分離光学装置、２６６，２６７…ダイクロイックミラー、２６８…反射ミラー、２６９…フィールドレンズ、２７０…リレー光学装置、２７２…入射側レンズ、２７４，２７８…反射ミラー、２７６…リレーレンズ、２８０…光変調装置、２８４…入射側偏光板、２８５Ｒ，２８５Ｇ，２８５Ｂ…液晶装置、２８６…射出側偏光板、２８８…クロスダイクロイックプリズム、２９０…投射光学装置、２９２…投射レンズ、２９４…反射ミラー、３５０…コンテンツデータ、３７２…色情報、３７４…属性情報、３８０…主画像。
【図１】
2018147210.tif 000003
【図２】
2018147210.tif 000004
【図３】
2018147210.tif 000005
【図４】
2018147210.tif 000006
【図５】
2018147210.tif 000007
【図６Ａ】
2018147210.tif 000008
【図６Ｂ】
2018147210.tif 000009